(57)【要約】【課題】光軸方向の長さを短くすることができる光学ユニットを提供する。【解決手段】この光学ユニットは、駆動筒１８の回転駆動によって光軸方向へ移動可能な複数の撮影レンズ群と、駆動筒１８の内側に配置され、該駆動筒の回転駆動によって光軸方向へ移動可能な電動ユニットと、該電動ユニットに一端が接続されるフレキシブルプリント基板と、駆動筒１８の回転駆動によって光軸方向へ移動可能な複数のファインダーレンズ２１，２２，２３と、を備える。駆動筒１８は、複数のファインダーレンズ２１，２２，２３に対応して光軸方向に並設された複数のカム部２１ｃ，２２ｃ，２３ｃ、および周方向に沿って形成されてフレキシブルプリント基板が挿通可能な貫通孔１８ｆを有する。そして、複数のカム部２１ｃ，２２ｃ，２３ｃの光軸方向の配置順が複数のファインダーレンズ２１，２２，２３の光軸方向の配置順と異なっている。【選択図】図１３
2008070453.tif 000002
【特許請求の範囲】
【請求項１】
回転駆動される駆動筒と、該駆動筒の回転駆動によって光軸方向へ移動可能な複数の撮影レンズ群と、前記駆動筒の内側に配置され、該駆動筒の回転駆動によって光軸方向へ移動可能な電動ユニットと、該電動ユニットに一端が接続されるフレキシブルプリント基板と、前記駆動筒の回転駆動によって光軸方向へ移動可能な複数のファインダーレンズと、を備えた光学ユニットにおいて、
前記駆動筒は、前記複数のファインダーレンズに対応して光軸方向に並設された複数のカム部、および周方向に沿って形成されて前記フレキシブルプリント基板が挿通可能な貫通孔を有し、
前記複数のカム部の光軸方向の配置順が前記複数のファインダーレンズの光軸方向の配置順と異なる、ことを特徴とする光学ユニット。
【請求項２】
前記カム部が、前記複数のファインダーレンズに対応して設けられたカムフォロアーに係合するカム溝である、ことを特徴とする請求項１に記載の光学ユニット。
【請求項３】
請求項１又は２に記載の光学ユニットを備える、ことを特徴とする撮像装置。
【発明の詳細な説明】
【技術分野】
【０００１】
本発明は、例えば、デジタルカメラ等の撮像装置に搭載される光学ユニットおよび撮像装置に関し、特に、ズームレンズ鏡筒、およびズームレンズ鏡筒に連動するファインダー装置を備える光学ユニットおよび撮像装置に関する。
【背景技術】
【０００２】
従来より、ズームレンズ鏡筒、およびズームレンズ鏡筒に連動するファインダー装置を備える光学ユニットが開示されている。
【０００３】
例えば、モーターから減速系を介して駆動力が伝達されて各ズームポジションに撮影レンズ群を移動させる駆動筒と、複数のファインダーレンズを光軸方向に駆動するファインダー装置とを備えた光学ユニットがある（特許文献１参照）。ファインダー装置は、駆動筒の外周に設けた複数のカム溝に、対応するファインダーレンズのカムフォロアーを係合させることによってファインダーレンズを光軸方向に駆動する。
【０００４】
また、回転駆動される回転環と、回転環の回転によって複数のレンズ群を光軸方向に移動させるカム環と、シャッターブロックに一端部が固定されたフレキシブル基板とを備えたズームレンズ鏡筒がある（特許文献２参照）。回転環には、フレキシブル基板を該回転環の外に導くために、フレキシブル基板が挿通可能なフレキ引出し貫通穴が周方向に沿って形成されている。
【特許文献１】特開平７−４３７７９号公報
【特許文献２】特許第３５６９４７９号公報
【発明の開示】
【発明が解決しようとする課題】
【０００５】
ところで、上記特許文献１では、複数のファインダーレンズの光軸方向の配置順と、複数のファインダーレンズのカムフォロアーに対応して駆動筒の外周に設けられる複数のカム溝の光軸方向の配置順とが一致する。
【０００６】
また、上記特許文献２では、回転環の周方向に沿って形成されたフレキ引出し貫通穴は、シャッターブロックに一端が固定されたフレキシブル基板の固定位置によって、回転環に対する周方向の形成位置が決められてしまう。
【０００７】
従って、上記特許文献１の駆動筒に対して、複数のカム溝と、上記特許文献２のフレキ引出し貫通穴とを形成する際には、複数のカム溝とフレキ引き出し貫通穴との光軸方向の干渉を避けるために駆動筒の光軸方向の長さが長くなる。このため、光学ユニットの光軸方向の長さが大きくなってしまう。
【０００８】
そこで、本発明は、光軸方向の長さを短くすることができる光学ユニットおよび撮像装置を提供することを目的とする。
【課題を解決するための手段】
【０００９】
上記目的を達成するために、請求項１に記載の光学ユニットは、回転駆動される駆動筒と、該駆動筒の回転駆動によって光軸方向へ移動可能な複数の撮影レンズ群と、前記駆動筒の内側に配置され、該駆動筒の回転駆動によって光軸方向へ移動可能な電動ユニットと、該電動ユニットに一端が接続されるフレキシブルプリント基板と、前記駆動筒の回転駆動によって光軸方向へ移動可能な複数のファインダーレンズと、を備えた光学ユニットにおいて、前記駆動筒は、前記複数のファインダーレンズに対応して光軸方向に並設された複数のカム部、および周方向に沿って形成されて前記フレキシブルプリント基板が挿通可能な貫通孔を有し、前記複数のカム部の光軸方向の配置順が前記複数のファインダーレンズの光軸方向の配置順と異なる、ことを特徴とする。
【００１０】
請求項３に記載の撮像装置は、請求項１又は２に記載の光学ユニットを備える、ことを特徴とする。
【発明の効果】
【００１１】
本発明によれば、駆動筒に設けられた複数のカム部の光軸方向の配置順と複数のファインダーレンズの光軸方向の配置順とを異ならせている。これにより、駆動筒に対して、フレキシブルプリント基板が挿通可能な貫通孔と複数のカム部との光軸方向の干渉を回避しつつ、貫通孔および複数のカム部を径方向の投影面で部分的に重複するように互いに配置することが可能となる。この結果、駆動筒の光軸方向の長さを短くすることができ、光学ユニットの光軸方向の長さを短くすることができる。
【発明を実施するための最良の形態】
【００１２】
以下、本発明の実施の形態の一例を図を参照して説明する。
【００１３】
図１は本発明の実施の形態の一例である光学ユニットを構成するズームレンズ鏡筒の分解斜視図である。図２は図１に示すズームレンズ鏡筒の収納位置での断面図、図３は図１に示すズームレンズ鏡筒のＷＩＤＥ位置での断面図、図４は図１に示すズームレンズ鏡筒のＴＥＬＥ位置での断面図である。図５は図１に示すズームレンズ鏡筒の収納位置での図２と異なる位相の断面図、図６は図１に示すズームレンズ鏡筒のＷＩＤＥ位置での図３と異なる位相の断面図、図７は図１に示すズームレンズ鏡筒のＴＥＬＥ位置での図４と異なる位相の断面図である。図８は図１に示すズームレンズ鏡筒の３群レンズ周りを示す分解斜視図である。
【００１４】
本発明の実施の形態の一例である光学ユニットは、ズームレンズ鏡筒１００Ａ、およびズームレンズ鏡筒１００Ａに連動するファインダー装置１００Ｂ（図１１参照）を備えており、デジタルカメラ等の撮像装置に搭載される。
【００１５】
ズームレンズ鏡筒１００Ａは、図１に示すように、１群レンズ保持部材２、２群ユニット７、３群レンズ保持部材１１、カム筒１５、直進部材１６、固定筒１７、駆動筒１８、およびカバー部材１９を備える。
【００１６】
１群レンズ保持部材２は、１群レンズ（撮影レンズ群）１を保持しており、その外径側には主カムフォロアー部２ａ、および副カムフォロアー部２ｂが周方向に１２０°等分で３箇所に形成されている。また、１群レンズ保持部材２の内径側には光軸方向に沿って溝部２ｃ、および凸部２ｄが形成されている。１群レンズ保持部材２の前端側には、カバー部材３、およびキャップ部材４が取り付けられる。
【００１７】
２群ユニット７は、２群レンズ（撮影レンズ群）５を保持する２群レンズ保持部材６を光軸に直交する方向へ駆動、制御する駆動制御ユニットと、シャッターユニットとを備え、外径側にはカムフォロアー７ａが周方向に１２０°等分で３箇所形成されている。また、２群ユニット７には、光軸周りの回転規制のための直進ガイド部７ｂが周方向に１２０°等分で３箇所形成されている。さらに、２群ユニット７には、フレキシブルプリント基板（以下、ＦＰＣという）８，９の一端が電気的に接続され、ＦＰＣ８，９の他端は不図示のカメラ本体に電気的に接続されている。
【００１８】
３群レンズ保持部材１１は、３群レンズ（撮影レンズ群）１０を保持しており、ＦＰＣ８，９を通過させるための切り欠き部１１ａ、主ガイド部１１ｂ、副ガイド部（不図示）が形成されている。主ガイド部１１ｂには、レンズ保持部材１１を光軸方向へガイドするガイド部材１２が嵌合している。ガイド１２には、ベース部材１３が取り付けられており、ベース部材１３には、図８を参照して、ＦＰＣ８，９を位置させるための貫通孔１３ａ、および３群レンズ保持部材１１の副ガイド部（不図示）と嵌合するガイド部１３ｂが形成されている。ベース部材１３の背面側には、ＣＣＤセンサ１４が配置されている。
【００１９】
カム筒１５の内径部には、１群レンズ保持部材２の主カムフォロアー２ａ，副カムフォロアー２ｂに対応するカム溝１５ａ，カム溝１５ｂと、２群ユニット７のカムフォロアー７ａに対応するカム溝１５ｃと、周方向溝１５ｆとが形成されている。カム溝１５ｂと副カムフォロアー２ｂとの間には、所定の隙間が設けられている。また、カム筒１５の外径側には、カムフォロアー１５ｄ、および駆動ピン１５ｅがそれぞれ周方向に１２０°等分で３箇所形成されている。
【００２０】
直進部材１６は、１群レンズ保持部材２、および２群ユニット７の光軸周りの回転を規制する部材である。直進部材１６には、１群レンズ保持部材２の溝部２ｃ，凸部２ｄに係合する凸部１６ａ，溝部１６ｂが形成されているとともに、２群ユニット７の直進ガイド部７ｂに係合する直進溝１６ｃが周方向に１２０°等分で３箇所形成されている。
【００２１】
また、直進部材１６には、自身の回転を規制するための凸部１６ｄが周方向に１２０°等分で３箇所形成されていると共に、カム筒１５の溝部１５ｆに嵌め込まれる凸部１６ｅが形成されている。直進部材１６の凸部１６ｅがカム筒１５の溝部１５ｆに嵌め込まれることで、直進部材１６とカム筒１５とが回転可能で、かつ光軸方向に一体に移動する。
【００２２】
固定筒１７は、ベース部材１３に取り付けられ、カム筒１５のカムフォロアー部１５ｄに係合するカム溝１７ａ、カム筒１５の駆動ピン１５ｅに対応するカム溝１７ａ、カム溝１７ａと同軌跡の貫通カム１７ｂ、および直進ガイド溝１７ｃが形成されている。直進ガイド溝１７ｃは、光軸方向に延びて直進部材１６の凸部１６ｃが係合する。また、固定筒１７には、ＦＰＣ８，９を外径方向に通過させるための貫通孔１７ｄと、ＦＰＣ８，９のたわみ部を位置させるための貫通孔１７ｅとが形成されている。
【００２３】
駆動筒１８は、固定筒１７の外径側で光軸周りに回転可能に配置されている。図１４は駆動筒１８の外面展開図を表しており、駆動筒１８の外径側には、不図示の駆動ユニットから回転駆動力が伝達されるギア部１８ａと、ファインダーレンズ２１，２２，２３（図１１参照）を光軸方向へ移動させるためのカム溝（カム部）１８ｂ，１８ｃ，１８ｄとが形成されている。駆動筒１８の内径側には、光軸方向に延びてカム筒１５の駆動ピン部１５ｅに係合する溝部１８ｅが周方向に１２０°等分で３箇所形成されている。
【００２４】
また、駆動筒１８には、ＦＰＣ８，９が挿通可能な貫通孔１８ｆが周方向に沿って形成されている。ここで、貫通孔１８ｆおよび複数のカム溝１８ｂ，１８ｃ，１８ｄは、駆動筒１８の径方向の投影面で互いに交差して部分的に重なるように配置されている。さらに、駆動筒１８の内径側には、ズームレンズ鏡筒１００Ａの収納位置（図２参照）で固定筒１７の貫通孔１７ｅと同位相となって、ＦＰＣ８，９のたわみ部を位置させる切り欠き部１８ｇが形成されている。
【００２５】
カバー部材１９は、駆動筒１８の外径側でベース部材１３および固定筒１７が一体に取り付けられる。カバー部材１９には、ＦＰＣ８，９を通過させるための貫通孔１９ａが形成されている。また、カバー部材１９には、不図示のファインダーベース部材の取り付け部１９ｂ，１９ｃが形成されている。
【００２６】
次に、図１１を参照して、ファインダー装置について説明する。図１１は本発明の実施の形態の一例である光学ユニットを構成するファインダー装置を説明するための斜視図である。
【００２７】
ファインダー装置１００Ｂは、第１ファインダーレンズ２０、第２ファインダーレンズ２１、第３ファインダーレンズ２２、第４ファインダーレンズ２３、ガイド部材２４、ガイド部材２５、ばね部材２６、ばね部材２７、およびフィールドレンズ２８を備える。
【００２８】
第１ファインダーレンズ２０は、ファインダーベース部材（不図示）に固定される。第２ファインダーレンズ２１には、主ガイド部２１ａ、副ガイド部２１ｂ、およびカムフォロアー２１ｃが形成されている。カムフォロアー２１ｃは、駆動筒１８のカム溝１８ｃに係合する。
【００２９】
第３ファインダーレンズ２２には、主ガイド部２２ａ、副ガイド部２２ｂ、およびカムフォロアー２２ｃが形成されている。カムフォロアー２２ｃは、駆動筒１８のカム溝１８ｂに係合する。また、第３ファインダーレンズ２２には、ばね掛け部２２ｄ（図１２参照）が形成されている。
【００３０】
第４ファインダーレンズ２３には、主ガイド部２３ａ、副ガイド部２３ｂ、およびカムフォロアー２３ｃが形成されている。カムフォロアー２３ｃは、駆動筒１８のカム溝１８ｄに係合する。また、第４ファインダーレンズ２３には、ばね掛け部２３ｄ（図１２参照）が形成されている。
【００３１】
このように、この実施の形態では、第２ファインダーレンズ２１および第３ファインダーレンズ２２の光軸方向の配置順と、駆動筒１８のカム溝１８ｂおよびカム溝１８ｃの光軸方向の配置順とを異ならせている。即ち、第２ファインダーレンズ２１のカムフォロアー２１ｃがカム溝１８ｃに係合し、第３ファインダーレンズ２２のカムフォロアー２２ｃがカム溝１８ｂに係合している。
【００３２】
ガイド部材２４は、ファインダーベース部材（不図示）に固定され、第２ファインダーレンズ２１の主ガイド部２１ａに嵌合して第２ファインダーレンズ２１を光軸方向にガイドする。
【００３３】
ガイド部材２５は、ファインダーベース部材（不図示）に固定され、第３ファインダーレンズ２２の主ガイド部２２ａおよび第４ファインダーレンズ２３の主ガイド部２３ａにそれぞれ嵌合して、第３，第４ファインダーレンズ２２，２３を光軸方向にガイドする。
【００３４】
ばね部材２６は、ガイド部材２４の外周側で、ファインダーベース部材（不図示）と主ガイド部２１ａとの間に配置され、カムフォロアー２１ｃをカム溝１８ｃの一方斜面に付勢する。ばね部材２７は、一端がばね掛け部２２ｄに掛止されるとともに、他端がばね掛け部２３ｄに掛止され、カムフォロアー２２ｃ，２３ｃをそれぞれカム溝１８ｂ，１８ｄの一方斜面に付勢する。
【００３５】
フィールドレンズ２８は、ファインダーベース部材（不図示）に固定され、第１ファインダーレンズ２１からフィールドレンズ２８を通過した像は接眼光学系（不図示）へと導かれる。
【００３６】
次に、ズームレンズ鏡筒１００Ａの動作例を説明する。
【００３７】
駆動ユニット（不図示）から駆動筒１８のギア部１８ａに駆動力が伝達されて、駆動筒１８が光軸周りに回転すると、溝部１８ｅに駆動ピン１５ｅが係合しているのでカム筒１５が回転する。
【００３８】
カム筒１５が回転すると、カムフォロアー１５ｄが固定筒１７のカム溝１７ａに係合しているので、カム筒１５はカム溝１７ａのカム軌跡に沿って光軸方向へ移動する。このとき、直進部材１６は、凸部１６ｅがカム筒１５の溝部１５ｆに嵌め込まれることで、カム筒１５と一体に光軸方向へ移動するが、直進部材１６の凸部１６ｃと固定筒１７の直進ガイド溝１７ｃとの係合によって回転が規制される。
【００３９】
また、カム筒１５が回転すると、主カムフォロアー２ａとカム溝１５ａとの係合、レンズ保持部材２の溝部２ｃ，凸部２ｄと直進部材１６の凸部１６ａ，溝部１６ｂとの係合により、１群レンズ保持部材２は回転することなく光軸方向に移動する。
【００４０】
また、２群ユニット７のカムフォロアー７ａとカム溝１５ｃとが係合し、２群ユニット７の直進ガイド部７ｂと直進溝１６ｃとが係合しているので、２群ユニット７は回転することなく光軸方向に移動する。また、３群レンズ１０を保持している３群レンズ保持部材１１は、駆動機構（不図示）からの駆動力で光軸方向に進退駆動され、フォーカス動作を行う。
【００４１】
以上のようにしてレンズ鏡筒の繰り出し動作が行われ、図２および図５に示す収納位置から図３および図６に示す撮影位置（ＷＩＤＥ）に切り替わる。さらに駆動筒１８が回転駆動されると、図３および図６に示す撮影位置（ＷＩＤＥ）から図４および図７示す位置（ＴＥＬＥ位置）へズーム動作が行われる。このとき、３群レンズ１０も前記駆動機構（不図示）によって、ズーム位置へ移動する。
【００４２】
次に、ＦＰＣ８，９について説明する。
【００４３】
図２および図５に示すレンズ鏡筒１００Ａの収納位置では、一端が２群ユニット７に接続されたＦＰＣ８，９は、２群ユニット７と直進部材１６との間をＣＣＤセンサ１４側へ延ばされる。ＣＣＤセンサ１４側へ延ばされたＦＰＣ８，９は、ベース部材１３の貫通孔１３ａ（図３参照）でＣＣＤセンサ１４の反対側へ折り返され、固定筒１７の貫通孔１７ｅ、駆動筒１８の切り欠き部１８ｇにたわみ部が配置される。そして、ＦＰＣ８，９は、固定筒１７の貫通孔１７ｄ、駆動筒１８の貫通孔１８ｆ、カバー部材１９の貫通孔１９ａを通過してレンズ鏡筒１００Ａの外側へ導かれ、不図示のカメラ本体に接続される。
【００４４】
図２および図５に示す収納位置からレンズ鏡筒１００Ａが繰り出すと、ＦＰＣ８，９は、図３、図４、図６および図７に示すように配置される。そして、ＦＰＣ８，９は、図６および図７のＴＥＬＥ位置において過不足の無い全長となっている。
【００４５】
なお、図９はレンズ鏡筒収納位置におけるＦＰＣ８，９の状態を示しており、カバー部材１９の図示は省略している。また、図１０は、同じくレンズ鏡筒収納位置におけるＦＰＣ８，９の状態を示しており、カバー部材１９、駆動筒１８の図示を省略し、固定筒１７の貫通孔１７ｅにＦＰＣ８，９が位置している状態を示している。
【００４６】
次に、図１２および図１３を参照して、ファインダー装置の動作例について説明する。
【００４７】
図１２はズームレンズ鏡筒の収納位置（図２および図５）での図１１に示すファインダー装置の状態を示す図、図１３はズームレンズ鏡筒のＴＥＬＥ位置（図４および図７）での図１１に示すファインダー装置の状態を示す図である。なお、図１２および図１３ともに、カムフォロアー２１ｃ，２２ｃ，２３ｃと駆動筒１８のカム溝１８ｂ，１８ｃ，１８ｄとの関係を説明するため、一部の部品の図示を省略している。
【００４８】
まず、駆動ユニット（不図示）から駆動筒１８のギア部１８ａに回転駆動力が伝達されると、駆動筒１８が光軸周りに回転する。このとき、第２ファインダーレンズ２１のカムフォロアー２１ｃが駆動筒１８のカム溝１８ｃに係合し、第３ファインダーレンズ２２のカムフォロアー２２ｃが駆動筒１８のカム溝１８ｂに係合している。また、第４ファインダーレンズ２３のカムフォロアー２３ｃが駆動筒１８のカム溝１８ｄに係合している。
【００４９】
従って、第２，第３，第４ファインダーレンズ２１，２２，２３は、駆動筒１８のカム溝１８ｂ，１８ｃ，１８ｄのカム軌跡に沿って光軸方向へ移動し、レンズ鏡筒１００ＡのＴＥＬＥ位置（図４、図７）のときは、図１３に示す位置となる。
【００５０】
以上説明したように、この実施の形態では、第２ファインダーレンズ２１のカムフォロアー２１ｃを駆動筒１８のカム溝１８ｃに係合させ、第３ファインダーレンズ２２のカムフォロアー２２ｃを駆動筒１８のカム溝１８ｂに係合させている。つまり、第２，第３ファインダーレンズ２１，２２の光軸方向の配置順と駆動筒１８のカム溝１８ｂ，１８ｃの光軸方向の配置順とを異ならせている（図１４）。ここで図１５に、前述の従来例のごとくファインダーレンズ２１、２２の光軸方向の配置順とカム溝１８ｂ、１８ｃの光軸方向の配置順を合わせて形成した場合の駆動筒１８の外面展開図を示す。同図のとおり、カム溝１８ｂが貫通孔１８ｆが干渉してしまう。したがって、第２，第３ファインダーレンズ２１，２２の光軸方向の配置順と駆動筒１８のカム溝１８ｂ，１８ｃの光軸方向の配置順とを異ならせる。このことにより駆動筒１８に対して、ＦＰＣ８，９が挿通可能な貫通孔１８ｆとカム溝１８ｂ〜１８ｄとの光軸方向の干渉を回避しつつ、貫通孔１８ｆおよびカム溝１８ｂ〜ｄを径方向の投影面で部分的に重複するように互いに配置することが可能となる。この結果、駆動筒１８の光軸方向の長さを短くすることができ、レンズ鏡筒ひいては光学ユニットの光軸方向の長さを短くすることができる。
【００５１】
また、貫通孔１８ｆとカム溝１８ｃとが接近するのを回避することができるので、駆動筒１８の強度を確保することができる。
【００５２】
なお、本発明の駆動筒、撮影レンズ群、電動ユニット、フレキシブルプリント基板、ファインダーレンズ、カム部、貫通孔等の構成は上記実施の形態に例示したものに限定されるものではなく、本発明の要旨を逸脱しない範囲において適宜変更可能である。
【図面の簡単な説明】
【００５３】
【図１】本発明の実施の形態の一例である光学ユニットを構成するズームレンズ鏡筒の分解斜視図である。
【図２】図１に示すズームレンズ鏡筒の収納位置での断面図である。
【図３】図１に示すズームレンズ鏡筒のＷＩＤＥ位置での断面図である。
【図４】図１に示すズームレンズ鏡筒のＴＥＬＥ位置での断面図である。
【図５】図１に示すズームレンズ鏡筒の収納位置での図２と異なる位相の断面図である。
【図６】図１に示すズームレンズ鏡筒のＷＩＤＥ位置での図３と異なる位相の断面図である。
【図７】図１に示すズームレンズ鏡筒のＴＥＬＥ位置での図４と異なる位相の断面図である。
【図８】図１に示すズームレンズ鏡筒の３群レンズ周りを示す分解斜視図である。
【図９】図１に示すズームレンズ鏡筒の収納位置での一部を省略した斜視図である。
【図１０】図１に示すズームレンズ鏡筒の収納位置での一部を省略した斜視図である。
【図１１】本発明の実施の形態の一例である光学ユニットを構成するファインダー装置を説明するための斜視図である。
【図１２】図１に示すズームレンズ鏡筒の収納位置での図１１に示すファインダー装置の状態を示す図である。
【図１３】図１に示すズームレンズ鏡筒のＴＥＬＥ位置での図１１に示すファインダー装置の状態を示す図である。
【図１４】駆動筒の外面展開図を示す図である。
【図１５】従来の駆動筒の外面展開図を示す図である。
【符号の説明】
【００５４】
１      １群レンズ（撮影レンズ群）
２      １群レンズ保持部材
３      カバー部材
４      キャップ部材
５      ２群レンズ（撮影レンズ群）
６      ２群レンズ保持部材
７      ２群ユニット（電動ユニット）
８      ＦＰＣ（フレキシブルプリント基板）
９      ＦＰＣ（フレキシブルプリント基板）
１０    ３群レンズ（撮影レンズ群）
１１    ３群レンズ保持部材
１２    ガイド部材
１３    ベース部材
１４    ＣＣＤセンサ
１５    カム筒
１６    直進部材
１７    固定筒
１８    駆動筒
１８ｂ  カム溝（カム部）
１８ｃ  カム溝（カム部）
１８ｄ  カム溝（カム部）
１８ｆ  貫通孔
１９    カバー部材
２０    第１ファインダーレンズ
２１    第２ファインダーレンズ
２２    第３ファインダーレンズ
２３    第４ファインダーレンズ
２４    ガイド部材
２５    ガイド部材
２６    ばね部材
２７    ばね部材
１００Ａ  ズームレンズ鏡筒
１００Ｂ  ファインダー装置
【図１】
2008070453.tif 000003
【図２】
2008070453.tif 000004
【図３】
2008070453.tif 000005
【図４】
2008070453.tif 000006
【図５】
2008070453.tif 000007
【図６】
2008070453.tif 000008
【図７】
2008070453.tif 000009
【図８】
2008070453.tif 000010
【図９】
2008070453.tif 000011
【図１０】
2008070453.tif 000012
【図１１】
2008070453.tif 000013
【図１２】
2008070453.tif 000014
【図１３】
2008070453.tif 000015
【図１４】
2008070453.tif 000016
【図１５】
2008070453.tif 000017